(57)【特許請求の範囲】
【請求項１】
両端の入光面近傍にそれぞれ配置された第１の光源および第２の光源からの光を反射面で反射させ、出光面から出光させて被照明体を照明する導光体と、
前記被照明体からの反射光を結像する結像素子と、
前記結像素子によって結像された反射光を受光する複数の光電変換素子が実装されるセンサ基板と、
を備えるイメージセンサユニットであって、
前記第１の光源は、１つまたは複数の発光素子より構成されると共に、
前記第２の光源は、前記第１の光源と発光波長の異なる光源であって、１つまたは複数の発光素子より構成され、
前記出光面と対向する面に設けられた前記反射面には、第１の反射部および第２の反射部を備え、
前記第１の反射部は、前記第１の光源に設けられた発光素子からの発光波長に対する反射率が、前記第２の光源に設けられた発光素子からの発光波長に対する反射率よりも大きい分光反射率であると共に、
前記第１の光源の光が入光される第１の入光面側から、前記第１の入光面に対向し前記第２の光源の光が入光される第２の入光面側までに亘って、前記第１の入光面側から前記第２の入光面側へ向かって反射率が徐々に大きくなり、
前記第２の反射部は、前記第２の光源に設けられた発光素子からの発光波長に対する反射率が、前記第１の光源に設けられた発光素子からの発光波長に対する反射率よりも大きい分光反射率であると共に、
前記第２の入光面側から前記第１の入光面側までに亘って、前記第２の入光面側から前記第１の入光面側へ向かって反射率が徐々に大きくなる
ことを特徴とするイメージセンサユニット。
【請求項２】
前記発光素子のうち、相対的に長波長側の発光素子と短波長側の発光素子に分類し、前記第１の光源および前記第２の光源に配設する
ことを特徴とする請求項１に記載のイメージセンサユニット。
【請求項３】
前記第１の光源と前記第２の光源の何れか一方に、赤外の発光波長の光を発する発光素子または紫外の発光波長の光を発する発光素子を備える
ことを特徴とする請求項１または２に記載のイメージセンサユニット。
【請求項４】
前記第１の光源に相対的に長波長側の発光素子を配設し、前記第２の光源に相対的に短波長側の発光素子を配設した場合、
前記第１の反射部は、短波長側の発光波長に対する反射率よりも長波長側の発光波長に対する反射率が大きく、
前記第２の反射部は、長波長側の発光波長に対する反射率よりも短波長側の発光波長に対する反射率が大きい
ことを特徴とする請求項２に記載のイメージセンサユニット。
【請求項５】
前記第１の反射部および前記第２の反射部は、それぞれ光拡散パターンから構成されると共に、
前記第１の入光面および前記第２の入光面からの距離に応じて、前記光拡散パターンの分布密度が変化する
ことを特徴とする請求項１乃至４の何れか１項に記載のイメージセンサユニット。
【請求項６】
前記光拡散パターンは、前記反射面に塗料を塗布することによって形成される
ことを特徴とする請求項５に記載のイメージセンサユニット。
【請求項７】
イメージセンサユニットと、
前記イメージセンサユニットと被照明体とを相対的に移動させながら、前記被照明体からの反射光を読み取る画像読取手段と、
を備えた画像読取装置であって、
前記イメージセンサユニットは、請求項１乃至６の何れか１項に記載のイメージセンサユニットである
ことを特徴とする画像読取装置。
【請求項８】
イメージセンサユニットと、
前記イメージセンサユニットと被照明体とを相対的に移動させながら、前記被照明体からの反射光を読み取る画像読取手段と、
記録媒体に画像を形成する画像形成手段と、
を備えた画像形成装置であって、
前記イメージセンサユニットは、請求項１乃至６の何れか１項に記載のイメージセンサユニットである
ことを特徴とする画像形成装置。
【発明の詳細な説明】
【技術分野】
【０００１】
本発明は、イメージセンサユニットおよびそれを用いた画像読取装置、画像形成装置に関するものである。特に、複数の光源の光を導光体から出光させることができるイメージセンサユニットおよびそれを用いた画像読取装置、画像形成装置に関する。
【背景技術】
【０００２】
近年、画像読取装置、画像形成装置などに用いられるイメージセンサユニットによって読み取られた結果において、例えば赤Ｒと緑Ｇとの中間色であるアンバーＵ系の色再現性を高めたいなどの要望がある。このような場合、色再現性を高めたい中間色に対応した発光波長の光を発する発光素子を加えることで、中間色の色再現性を高めることができる。
【０００３】
また、イメージセンサユニットによって読み取られる原稿にはセキュリティなどを目的として不可視インクによって印刷されたものがあり、そのような可視以外の波長域である紫外の波長域や近赤外の波長域なども読み取りたいという要望がある。このような場合、上述した中間色の色再現性を向上させる方法と同様、紫外の波長域や近赤外の波長域における発光波長の光を発する発光素子を加えることで、不可視インクによって印刷されたものを読み取ることができる。
【０００４】
しかしながら、所望する発光波長の光を発する発光素子を増やすと、全ての発光素子の光を導光体の入光面から入光させるために、導光体の入光面の面積を大きくしなければならない。入光面の面積を大きくすると、必然的に導光体の断面形状が大きくなってしまい、導光体の成形が困難になるばかりでなく、導光体およびイメージセンサユニット自体が大型化してしまうという問題がある。
【０００５】
そのため、特許文献１には、全体の光量を大きくするためにＬＥＤを導光体の両端に設ける方法が開示されている。
【先行技術文献】
【特許文献】
【０００６】
【特許文献１】特開平９−２１４６７５号公報
【発明の概要】
【発明が解決しようとする課題】
【０００７】
ここで、光源１００と導光体１１０との配置の一例について図１２Ａを参照して説明する。図１２Ａは、光源１００と導光体１１０との配置を示す斜視図である。光源１００は、原稿を照明するためのものである。光源１００は、例えば赤Ｒ、緑Ｇ、青Ｂの発光波長の光を発する発光素子１００ｒ、１００ｇ、１００ｂにより構成されている。導光体１１０は、照明する対象となる原稿の幅に対応した長さを有する透明部材によって形成されている。導光体１１０は、一方の端面が発光素子１００ｒ、１００ｇ、１００ｂの光を入光させる入光面１１０ａとなる。すなわち、発光素子１００ｒ、１００ｇ、１００ｂは、入光面１１０ａと向かい合う位置に配置されている。また、導光体１１０の長手方向の一面（導光体１１０の下面）が、入光面１１０ａから入光した光を導光体１１０の内部で反射させる主な反射面１１０ｂとなる。また、反射面１１０ｂと対向する面が、反射面１１０ｂから反射された光を導光体１１０から出光させる出光面１１０ｃとなる。
【０００８】
出光面１１０ｃから出光された光は、原稿を照明する。このとき、出光面１１０ｃから出光される光が導光体１１０の長手方向で均一に出光されるように、反射面１１０ｂには反射部１２０が形成されている。具体的には、図１２Ａに示すように、入光面１１０ａ側から対向する対向面１１０ｄ側に向かうにしたがって、分布密度が大きくなるようなドット１２０ａが塗布されたドットパターン（光拡散パターン）が反射部１２０として形成されている。このドットパターンは、ドット状に白色の塗料を塗布することで形成される。
【０００９】
図１２Ｂは、横軸を反射面１１０ｂの長手方向の位置とし、縦軸を反射面１１０ｂに形成されたドット１２０ａの分布密度を示すグラフである。図１２Ｂに示すように、入光面１１０ａに対向する対向面１１０ｄ側に向かうにしたがって、ドット１２０ａの分布密度が大きくなっている。反射面１１０ｂにこのようなドットパターンからなる反射部１２０を形成することで、反射面１１０ｂでは発光素子１００ｒ、１００ｇ、１００ｂからの距離に関わらず、導光体１１０の長手方向で均一の光を出光させることができる。
ここで、所望する波長の光を発光する発光素子を増やすと、全ての発光素子の光を入光面１１０ａから入光させるために、入光面１１０ａの面積を大きくしなければならない。
【００１０】
そこで、図１２Ａから図１３Ａに示す導光体１１０のように、発光素子１００ｒ、１００ｇ、１００ｂが配置されている入光面１１０ａに対向する面を入光面１１０ｅとして、上述した所望する発光波長の発光素子を配置することが考えられる。図１３Ａでは、入光面１１０ｅに向かい合うようにアンバーＵの発光素子１００ｕ、近赤外ＩＲの発光素子１００ｉｒおよび紫外ＵＶの発光素子１００ｕｖが配置されている。
【００１１】
しかしながら、図１３Ａに示すような構成では、導光体１１０の反射面１１０ｂには、入光面１１０ａ側から入光面１１０ｅ側に向かうにしたがってドット１２０ａの分布密度が大きくなるドットパターンからなる反射部１２０が形成されている。このため、図１３Ｂに示すように、入光面１１０ａから入光される発光素子１００ｒ、１００ｇ、１００ｂの光は、反射部１２０によって出光面１１０ｃから均一に出光される。
一方、入光面１１０ｅから入光される、追加した発光素子１００ｕ、１００ｉｒ、１００ｕｖからの光は、ドット１２０ａの分布密度が大きい入光面１１０ｅ側から出光される光量が大きくなると共に、ドット１２０ａの分布密度が小さい入光面１１０ａ側から出光される光量が少なくなる。
このため、導光体１１０から出光する光の照度が不均一となる問題が生じるものであった。
【００１２】
本発明は、上述したような問題点に鑑みてなされたものであり、導光体を大きくすることなく所望する発光波長の光を発する発光素子を増やすことを可能にすると共に、導光体から被照明体に向けて出光させる光の照度の均一化を図ることができるイメージセンサユニットおよびそれを用いた画像読取装置、画像形成装置を提供することを目的とする。
【課題を解決するための手段】
【００１３】
本発明のイメージセンサユニットは、両端の入光面近傍にそれぞれ配置された第１の光源および第２の光源からの光を反射面で反射させ、出光面から出光させて被照明体を照明する導光体と、前記被照明体からの反射光を結像する結像素子と、前記結像素子によって結像された反射光を受光する複数の光電変換素子が実装されるセンサ基板と、を備えるイメージセンサユニットであって、前記第１の光源は、１つまたは複数の発光素子より構成されると共に、前記第２の光源は、前記第１の光源と発光波長の異なる光源であって、１つまたは複数の発光素子より構成され、前記出光面と対向する面に設けられた前記反射面には、第１の反射部および第２の反射部を備え、前記第１の反射部は、前記第１の光源に設けられた発光素子からの発光波長に対する反射率が、前記第２の光源に設けられた発光素子からの発光波長に対する反射率よりも大きい分光反射率であると共に、前記第１の光源の光が入光される第１の入光面側から、前記第１の入光面に対向し前記第２の光源の光が入光される第２の入光面側までに亘って、前記第１の入光面側から前記第２の入光面側へ向かって反射率が徐々に大きくなり、前記第２の反射部は、前記第２の光源に設けられた発光素子からの発光波長に対する反射率が、前記第１の光源に設けられた発光素子からの発光波長に対する反射率よりも大きい分光反射率であると共に、前記第２の入光面側から前記第１の入光面側までに亘って、前記第２の入光面側から前記第１の入光面側へ向かって反射率が徐々に大きくなることを特徴とする。
本発明の画像読取装置は、イメージセンサユニットと、前記イメージセンサユニットと被照明体とを相対的に移動させながら、前記被照明体からの反射光を読み取る画像読取手段と、を備えた画像読取装置であって、前記イメージセンサユニットは、上述したイメージセンサユニットであることを特徴とする。
本発明の画像形成装置は、イメージセンサユニットと、前記イメージセンサユニットと被照明体とを相対的に移動させながら、前記被照明体からの反射光を読み取る画像読取手段と、記録媒体に画像を形成する画像形成手段と、を備えた画像形成装置であって、前記イメージセンサユニットは、上述したイメージセンサユニットであることを特徴とする。
【発明の効果】
【００１４】
本発明によれば、導光体を大きくすることなく所望する発光波長の光を発する発光素子を増やすことを可能にすると共に、導光体から被照明体に向けて出光させる光の照度の均一化を図ることができる。
【図面の簡単な説明】
【００１５】
【図１】図１は、本実施形態の導光体３１の構成を示す斜視図である。
【図２】図２は、発光素子３４ｂと発光素子３４ｒとの波長の相対的な関係を示す図である。
【図３】図３は、本実施形態のドット３７ａ、３７ｂの分光反射率の特性を示す図である。
【図４】図４は、本実施形態の反射部３５を示す模式図である。
【図５】図５は、本実施形態のドット３７ａ、３７ｂの分布密度を示す図である。
【図６】図６は、本実施形態の第１の入光面３１ａおよび第２の入光面３１ｅにそれぞれ複数の発光素子を配置した状態を示す図である。
【図７】図７は、発光素子３０ｕｖ、３０ｂ、３０ｇ、３０ｕ、３０ｒ、３０ｉｒの波長の相対的な関係を示す図である。
【図８】図８は、本実施形態の他の反射部４０を示す模式図である。
【図９】図９は、本実施形態のＭＦＰ１の外観を示す斜視図である。
【図１０】図１０は、画像形成部Ｐの構造を示す概略図である。
【図１１】図１１は、本実施形態のイメージセンサユニット７内の構成を示す模式図である。
【図１２Ａ】図１２Ａは、光源１００と導光体１１０との一例を示す斜視図である。
【図１２Ｂ】図１２Ｂは、ドット１２０ａの分布密度を示す図である。
【図１３Ａ】図１３Ａは、導光体１１０の両端を入光面１１０ａ、１１０ｅとした図である。
【図１３Ｂ】図１３Ｂは、図１３Ａに示す導光体１１０によって原稿を照明したときの原稿面照度を示す図である。
【発明を実施するための形態】
【００１６】
以下、本発明の実施形態について図面を参照して詳細に説明する。
図９は本発明を適用できる、いわゆる、多機能プリンタ（ＭＦＰ；Ｍｕｌｔｉｆｕｎｃｔｉｏｎ Ｐｒｉｎｔｅｒ）の外観を示す斜視図である。
【００１７】
図９に示すように、１はＭＦＰであり、被照明体としての原稿２からの反射光を読み取る画像読取手段としての画像読取部Ｓと、記録媒体としてのシート３（記録紙）に原稿２の画像を形成（印刷）する画像形成手段としての画像形成部Ｐとを備えている。
画像読取部Ｓはいわゆるイメージスキャナーの機能を有するものであり、例えば以下のように構成される。
【００１８】
画像読取部Ｓは、筐体４と、原稿載置部としてのガラス製の透明板からなるプラテンガラス５と、原稿２を覆うことができるように筐体４に対して開閉自在に設けられるプラテンカバー６とを備えている。
また、筐体４の内部には、イメージセンサユニット７が収納されている。イメージセンサユニット７は、例えば密着型イメージセンサ（ＣＩＳ；Ｃｏｎｔａｃｔ Ｉｍａｇｅ Ｓｅｎｓｏｒ）ユニットである。
８は保持部材であり、イメージセンサユニット７を囲むように保持するものである。９は保持部材８をプラテンガラス５に沿って移動可能に設けられたイメージセンサユニットスライドシャフトである。１０はイメージセンサユニット駆動モータである。１１は保持部材８に取り付けられたワイヤである。１２は信号処理部である。１３は印刷されたシート３を回収する、開閉自在に設けられた回収ユニットである。１４は所定のサイズのシート３を収容する給紙トレイである。
【００１９】
この構成により、イメージセンサユニット駆動モータ１０によりワイヤ１１を機械的に動かすことで、イメージセンサユニット７をイメージセンサユニットスライドシャフト９に沿って読み取り方向（副走査方向）に移動するものである。読み取り方向に移動したイメージセンサユニット７は、プラテンガラス５上に載置された原稿２を光学的に読み取って、画像信号（電気信号）に変換するものである。
【００２０】
図１０は画像形成部Ｐの構造を示す概略図である。
画像形成部Ｐはいわゆるプリンタの機能を有するものであり、例えば以下のように構成される。
画像形成部Ｐは筐体４内部に収容されており、図１０に示すように、搬送ロール２０と、記録ヘッド２１とを備えている。
２１は記録ヘッドであり、例えばシアンＣ、マゼンタＭ、イエローＹ、黒Ｋのインクを備えたインクタンク２２ｒ、２２ｇ、２２ｂ、２２ｋと、これらのインクタンク２２にそれぞれ設けられた吐出ヘッド２３ｒ、２３ｇ、２３ｂ、２３ｋから構成される。
２４は記録ヘッドスライドシャフトである。２５は記録ヘッド駆動モータである。２６は記録ヘッド２１に取り付けられたベルトである。
【００２１】
この構成により、給紙トレイ１４から供給されたシート３は、搬送ロール２０によって記録位置まで搬送される。
記録ヘッド２１は、記録ヘッド駆動モータ２５によりベルト２６を機械的に動かすことで、記録ヘッドスライドシャフト２４に沿って印刷方向（主走査方向）に移動しつつ画像信号を基にシート３に対して印刷を行うものである。
印刷終了まで前述の動作を繰り返した後、印刷されたシート３は搬送ロール２０によって回収ユニットに１３に排出される。
なお、画像形成部Ｐとしてインクジェット方式による画像形成装置を説明したが、電子写真方式、熱転写方式、ドットインパクト方式等どのような方式であっても構わない。
【００２２】
次に、イメージセンサユニット７内の構成部品と光源３０からの光路との関係について図１１を参照して説明する。図１１は、イメージセンサユニット７内の構成を示す模式図である。イメージセンサユニット７の内部には、光源３０、導光体３１、ロッドレンズアレイ３２、センサ基板３３が配設されている。
光源３０は、原稿２を照明するためのものであり、例えば赤Ｒ、緑Ｇ、青Ｂの３色の発光波長の光を発する発光素子３４ｒ、３４ｇ、３４ｂと、例えばアンバーＵの発光波長の光を発する発光素子３４ｕとを有している。すなわち、本実施形態のイメージセンサユニット７では、アンバー系の色再現性を高めるために、アンバーＵの発光波長の光を発する発光素子３４ｕを追加している。ここで、各発光素子３４ｒ、３４ｇ、３４ｂ、３４ｕは、導光体３１の両端に分かれて配置されている。具体的には、発光素子３４ｒ、３４ｕが導光体３１の一方側の端部の近傍に第１の光源３０ａとして配置され、発光素子３４ｂ、３４ｇが導光体３１の他方側の端部の近傍に第２の光源３０ｂとして配置されている。光源３０は、発光素子３４ｒ、３４ｇ、３４ｂ、３４ｕを順次点灯駆動することによって光を照射する。
【００２３】
導光体３１は、第１の光源３０ａおよび第２の光源３０ｂから照射された光を上述したプラテンガラス５上に載置された原稿２へと導くものであり、原稿２の幅に対応した長さの細長状に形成されている。この導光体３１は、例えばアクリル樹脂やポリカーボネートなどの透明な合成樹脂素材により形成される。
【００２４】
本実施形態では、導光体３１の長手方向（主走査方向）の両端における一方の端面を第１の光源３０ａからの光が入光される第１の入光面３１ａとし、対向する他方の端面を第２の光源３０ｂからの光が入光される第２の入光面３１ｅとして形成されている。上述した発光素子３４ｒ、３４ｕは、第１の入光面３１ａと向かい合い、かつ第１の入光面３１ａから所定距離離間して配置されている。また、上述した発光素子３４ｇ、３４ｂは、第２の入光面３１ｅと向かい合い、かつ第２の入光面３１ｅから所定距離離間して配置されている。このように、導光体３１の端面を第１の入光面３１ａおよび第２の入光面３１ｅとすることで、発光素子３４ｕを追加したとしても導光体３１の端面の面積を大きくする必要がない。
【００２５】
また、導光体３１の長手方向に沿い、かつプラテンガラス５上の原稿２と対向する面は、導光体３１に入光した光が出光される出光面３１ｃである。また、出光面３１ｃと対向する面は、第１の入光面３１ａおよび第２の入光面３１ｅからの光を導光体３１の内部で反射させる反射面３１ｂである。
反射面３１ｂには、後述する図１に示すように、反射部３５として第１の反射部３５ａおよび第２の反射部３５ｂが設けられている。
これにより、第１の入光面３１ａから入光した発光素子３４ｒ、３４ｕの光を第１の反射部３５ａで、第２の入光面３１ｅから入光した発光素子３４ｇ、３４ｂの光を第２の反射部３５ｂでそれぞれ均一に反射・拡散できるように形成されている。反射面３１ｂによって各発光素子３４ｒ、３４ｇ、３４ｂ、３４ｕからの光を均一に反射・拡散させる構成は後述する。
また、その他の面はそれぞれ反射面として作用するものである。
【００２６】
導光体３１は、第１の入光面３１ａおよび第２の入光面３１ｅから入光された光を導光体３１内にて反射面３１ｂおよびその他の面により全反射させながら導光体３１内を伝搬させる。同時に反射面３１ｂに設けられた第１の反射部３５ａおよび第２の反射部３５ｂにて拡散・反射させ、出光面３１ｃから出光させることで、原稿２を照明する。このように、光源３０と導光体３１とは、原稿２を照明する照明装置として機能する。
ロッドレンズアレイ３２は、結像素子であって、正立等倍結像型のロッドレンズを導光体３１の長手方向と同方向に複数配列したものである。ロッドレンズアレイ３２は、原稿２からの反射光を複数の光電変換素子３６に結像する。複数の光電変換素子３６は、光電変換素子を複数配列したものである。
センサ基板３３は、ロッドレンズアレイ３２により結像された反射光を画像信号に変換する複数の光電変換素子３６を導光体３１の長手方向と同方向に実装したものである。
ロッドレンズアレイ３２および複数の光電変換素子３６は、原稿２の幅に対応する長さに形成されている。
【００２７】
上述したように構成されるイメージセンサユニット７を備えたＭＦＰ１が原稿２の読み取りを行う場合、画像読取部Ｓにおいて原稿２の読み取り開始位置までイメージセンサユニット７を移動する。読み取り開始位置に移動したイメージセンサユニット７は、第１の光源３０ａおよび第２の光源３０ｂの発光素子３４ｒ、３４ｇ、３４ｂ、３４ｕを順次点灯する。第１の光源３０ａおよび第２の光源３０ｂからの光は、それぞれ導光体３１の第１の入光面３１ａおよび第２の入光面３１ｅから入光した後、出光面３１ｃから均一に出光する。導光体３１を出光した光は、原稿２の表面を主走査方向に亘ってライン状に照射する。照射された光は、原稿２によって反射された後、ロッドレンズアレイ３２によってセンサ基板３３上に実装された複数の光電変換素子３６に結像される。複数の光電変換素子３６は、結像された反射光を受光し画像信号に変換する。イメージセンサユニット７は、赤Ｒ、緑Ｇ、青Ｂ、アンバーＵ全ての反射光を変換することで、主走査方向に沿った１走査ラインの読み取り動作が終了する。
【００２８】
続いて、イメージセンサユニット７を１走査ライン分だけ副走査方向に移動する。イメージセンサユニット７は、上述と同様に１走査ラインの読み取り動作を行う。
このように、イメージセンサユニット７が１走査ラインの移動と読み取り動作とを繰り返すことで、原稿２全面の読み取りを行うことができる。
イメージセンサユニット７によって変換された画像信号は、信号処理部１２において必要に応じて画像処理を行った後、画像データとして記憶することで、プラテンガラス５上に載置された原稿２全面の読み取りが完了する。
【００２９】
次に、各発光素子３４ｒ、３４ｇ、３４ｂ、３４ｕからの光を均一に反射させる構成について図１を参照して説明する。図１は、導光体３１の構成を示す斜視図である。ここでは、説明を容易にするために、光源３０である発光素子３４ｒ、３４ｇ、３４ｂ、３４ｕのうち発光素子３４ｂ、３４ｒを取り上げて説明する。すなわち、図１に示すように、第１の入光面３１ａには発光素子３４ｒを第１の光源３０ａとして配置させ、第２の入光面３１ｅには発光素子３４ｂを第２の光源３０ｂとして配置させている。ここで、発光素子３４ｂの波長は、約４３５．８ｎｍであり、発光素子３４ｒの波長は、約７００ｎｍである。図２は、発光素子３４ｂと発光素子３４ｒとの波長の相対的な関係を示す図である。図２に示すように、発光素子３４ｂは発光素子３４ｒに比べて相対的に短波長であり、発光素子３４ｒは発光素子３４ｂに比べて相対的に長波長である。
【００３０】
また、図１に示すように、導光体３１の反射面３１ｂには第１の反射部３５ａおよび第２の反射部３５ｂが設けられており、それぞれ分光反射率が異なる２種類のドット３７ａ、３７ｂからなるドットパターン（光拡散パターン）から構成される。具体的には、ドット３７ａ、３７ｂは、波長によって反射率が異なる塗料を導光体３１の下面（反射面３１ｂ）に、例えばシルク印刷などにより塗布することによって形成される。なお、ドット３７ａ、３７ｂが形成されていない領域は、導光体３１の材質のまま（透明）である。
【００３１】
図３は、ドット３７ａ、３７ｂの分光反射率の特性を示すグラフである。図３に示すようにドット３７ａは、ドット３７ｂに比べて長波長の光の反射率が大きい特性を有している。一方、ドット３７ｂは、ドット３７ａに比べて短波長の光の反射率が大きい特性を有している。すなわち、ドット３７ａは、発光素子３４ｒから発光される光の反射率が大きく、発光素子３４ｂから発光される光の反射率が小さい。一方、ドット３７ｂは、発光素子３４ｂから発光される光の反射率が大きくなり、発光素子３４ｒから発光される光の反射率が小さい。具体的には、ドット３７ａとして赤Ｒ系の色の塗料で印刷され、ドット３７ｂとして青Ｂ系の色の塗料で印刷されることで、ドットパターンが形成されている。
【００３２】
図４は、導光体３１の反射面３１ｂにおける反射部３５を図１に示す矢印方向から見た模式図である。図４に示すように、第１の反射部３５ａおよび第２の反射部３５ｂを構成するドット３７ａ、３７ｂは、導光体３１の長手方向に対して分布密度が異なっている。具体的には、ドット３７ａは、第１の入光面３１ａ側の分布密度が小さく、第２の入光面３１ｅに向かうにしたがって分布密度が徐々に増大するように形成されている。一方、ドット３７ｂは、第２の入光面３１ｅ側の分布密度が小さく、第１の入光面３１ａに向かうにしたがって分布密度が徐々に増大するように形成されている。
すなわち、それぞれ入光面３１（第１の入光面３１ａ、第２の入光面３１ｅ）からの距離に応じて、入光面３１に近い部分は低密度に、遠方では高密度に配置された構成である。
【００３３】
図５は、横軸を反射面３１ｂの長手方向の位置とし、縦軸を反射面３１ｂに形成されたドット３７ａ、３７ｂの分布密度として示したグラフである。図５に示すように、ドット３７ａは第２の入光面３１ｅに向かうにしたがって分布密度が増大し、ドット３７ｂは第１の入光面３１ａに向かうにしたがって分布密度が増大するよう分布密度が変化するものである。なお、ドット３７ａ、３７ｂの分布密度は、反射面３１ｂの長手方向の中央付近で対称となるとは限らず、それぞれの発光波長に対する反射率により異なる場合も生ずる。
【００３４】
上述したように構成される導光体３１によれば、第１の入光面３１ａに配置されている発光素子３４ｒからの光はドット３７ａによって反射・拡散され、第２の入光面３１ｅに配置されている発光素子３４ｂからの光はドット３７ｂによって反射・拡散される。また、ドット３７ａ、３７ｂは、発光素子３４ｒ、３４ｂのうち反射率が大きい光を発する発光素子から離間するほど分布密度が増大するように形成されている。具体的には、発光素子３４ｒからの光の反射率が大きいドット３７ａは、発光素子３４ｒから離間するほど分布密度が増大する。したがって、反射面３１ｂは、発光素子３４ｒからの光が届きにくい発光素子３４ｒから離間した位置であっても、発光素子３４ｒと近接する位置と同程度の光量を反射・拡散させることができるため、発光素子３４ｒからの光を導光体３１の長手方向に亘って均一に出光させることができる。
一方、発光素子３４ｂからの光の反射率が大きいドット３７ｂは、発光素子３４ｂから離間するほど分布密度が増大する。したがって、反射面３１ｂは、発光素子３４ｂからの光が届きにくい発光素子３４ｂから離間した位置であっても、発光素子３４ｂと近接する位置と同程度の光量を反射・拡散させることができるため、発光素子３４ｂからの光を導光体３１の長手方向に亘って均一に出光させることができる。
【００３５】
本実施形態における構成は、発光素子を一方の第１の入光面３１ａに配置し、発光波長の異なる発光素子を他方の第２の入光面３１ｅに配置すると共に、それぞれの発光波長に対応する反射率のドット３７ａ、３７ｂを反射面３１ｂにそれぞれ形成するものである。
このため、導光体３１の第１の入光面３１ａおよび第２の入光面３１ｅにそれぞれ発光素子３４ｒ、３４ｂを配置した場合であっても、第１の反射部３５ａおよび第２の反射部３５ｂを構成する分光反射率の異なるドット３７ａ、３７ｂの分布密度をそれぞれ変化させることで、発光素子３４ｒ、３４ｂに近い部分の反射・拡散率を低く、遠方に向かって徐々に反射・拡散率を高くすることができる。したがって、発光素子を増やした場合であっても、導光体３１を大きくすることなく発光素子を配置することができると共に、導光体から出光させる光の照度の均一化を図ることができる。
【００３６】
次に、第１の入光面３１ａおよび第２の入光面３１ｅにそれぞれ複数の発光素子を配置する場合について図６を参照して説明する。図６は、図１に示す構成に加え、第１の入光面３１ａに発光素子３４ｕ、３４ｉｒを第１の光源３０ａとして配置し、第２の入光面３１ｅに発光素子３４ｇ、３４ｕｖを第２の光源３０ｂとして配置したものである。他の構成は、図１と同様であり説明を省略する。
図６に示す発光素子３４ｕｖは紫外ＵＶの発光波長の光を発し、発光素子３４ｉｒは近赤外ＩＲの発光波長の光を発する。発光素子３４ｕｖ、３４ｉｒを配置したのは、原稿２が例えば紙幣・有価証券の場合、セキュリティなどを目的として原稿２に印刷された不可視インクを読み取るために、原稿２に紫外ＵＶの発光波長の光と近赤外ＩＲの発光波長の光とを照明するためである。なお、不可視インクに応じて発光素子３４ｕｖ、３４ｉｒのうち何れかを配置することができる。
【００３７】
図７は、各発光素子３４ｕｖ、３４ｂ、３４ｇ、３４ｕ、３４ｒ、３４ｉｒの発光波長の相対的な関係を示す図である。図７に示すように、発光素子３４ｕｖ、３４ｂ、３４ｇ、３４ｕ、３４ｒ、３４ｉｒの順に発光波長が長くなる。すなわち、第１の入光面３１ａに配置されている発光素子３４ｕ、３４ｒ、３４ｉｒは、第２の入光面３１ｅに配置されている発光素子３４ｕｖ、３４ｂ、３４ｇに比べて相対的に長波長側の光を発光する。一方、第２の入光面３１ｅに配置されている発光素子３４ｕｖ、３４ｂ、３４ｇは、第１の入光面３１ａに配置されている発光素子３４ｕ、３４ｒ、３４ｉｒに比べて相対的に短波長側の光を発光する。
【００３８】
また、図７には、導光体３１の反射面３１ｂに形成されたドット３７ａ、３７ｂの分光反射率の特性も示している。ドット３７ａは、長波長側に分類される発光素子３４ｕ、３４ｒ、３４ｉｒから発光される光の反射率が大きい。一方、ドット３７ｂは、短波長側に分類される発光素子３４ｕｖ、３４ｂ、３４ｇから発光される光の反射率が大きい。したがって、図５に示すように、ドット３７ａを発光素子３４ｕ、３４ｒ、３４ｉｒから離間するほど分布密度が増大するように形成することで、発光素子３４ｕ、３４ｒ、３４ｉｒからの光を導光体３１の長手方向に亘って均一に出光させることができる。同様に、ドット３７ｂを発光素子３４ｕｖ、３４ｂ、３４ｇから離間するほど分布密度が増大するように形成することで、発光素子３４ｕｖ、３４ｂ、３４ｇからの光を導光体３１の長手方向に亘って均一に出光させることができる。
【００３９】
本実施形態における構成は、長波長側の発光素子を一方の第１の入光面３１ａに配置し、短波長側の発光素子を他方の第２の入光面３１ｅに配置すると共に、それぞれの発光波長の領域に対応する反射率のドット３７ａ、３７ｂを反射面３１ｂにそれぞれ形成するものである。
このため、導光体３１の第１の入光面３１ａおよび第２の入光面３１ｅにそれぞれ複数の発光素子を配置する場合であっても、第１の反射部３５ａおよび第２の反射部３５ｂを構成する分光反射率の異なるドット３７ａ、３７ｂの分布密度をそれぞれ変化させることで、発光素子３４ｕ、３４ｒ、３４ｉｒおよび発光素子３４ｕｖ、３４ｂ、３４ｇのそれぞれに近い部分の反射・拡散率を低く、遠方に向かって徐々に反射・拡散率を高くすることができる。したがって、発光素子を増やした場合であっても、導光体３１を大きくすることなくそれぞれ複数の発光素子を配置することができると共に、導光体から出光させる光の照度の均一化を図ることができる。
【００４０】
以上、本発明を上述した実施形態を用いて説明したが、本発明は上述した実施形態にのみ限定されるものではなく、本発明の範囲内で変更が可能である。
例えば、上述した実施形態の導光体３１では、分光反射率がそれぞれ異なる２種類のドット３７ａ、３７ｂを形成する場合について説明したが、この場合に限られず、２種類以上のドットを形成してもよい。
また、上述した実施形態では反射部としてドットパターンを形成する場合について説明したが、この場合に限られない。図８は、導光体３１の反射面３１ｂにおける他の反射部４０を図４と同方向から見た模式図であり、他の反射部４０としてドットに代えてストロボ状の矩形部４１ａ、４１ｂを形成したものである。図８に示す矩形部４１ａは、第１の反射部４０ａを構成するものであり、第１の入光面３１ａに配置された発光素子の発光波長に対して反射率が大きく、第２の入光面３１ｅ側に向かうにしたがって面積が増大する。一方、図８に示す矩形部４１ｂは、第２の反射部４０ｂを構成するものであり、第２の入光面３１ｅに配置された発光素子の発光波長に対して反射率が大きく、第１の入光面３１ａ側に向かうにしたがって面積が増大する。
このように、各反射部の形状は特定されず、各反射部の面積を変更することで、上述した実施形態と同様の効果がある。なお、矩形部４１ａ、４１ｂの面積は、反射面３１ｂの長手方向の中央付近で対称となるとは限らず、それぞれの発光波長に対する反射率により異なる場合も生ずる。
【００４１】
また、上述した実施形態では発光素子３４ｕｖ、３４ｂ、３４ｇ、３４ｕ、３４ｒ、３４ｉｒを用いる場合について説明したが、この場合に限られず、必要ない発光素子を省略してもよく、他に色再現性を高めたい色に応じた発光素子を追加してもかまわない。
また、光源３０（第１の光源３０ａおよび第２の光源３０ｂ）は同一の発光波長を有する発光素子を追加しても構わないし、同一の発光波長を有する複数の発光素子のみからなる構成であっても構わない。
なお、例えば光量増加のために追加した同一（または略同一）の発光波長を有する発光素子は、第１の光源３０ａまたは第２の光源３０ｂのどちらかの一方に配置する必要がある。これは、第１の光源３０ａまたは第２の光源３０ｂの双方に同一（または略同一）の発光波長を有する発光素子を配置した場合、第１の反射部３５ａおよび第２の反射部３５ｂのそれぞれに分光反射率が同一のドット３７ａ、３７ｂによるドットパターンが設けられることになる。
このため、第１の光源３０ａまたは第２の光源３０ｂの双方から同一の発光波長（同色）の光が照射されると、それぞれの発光素子からの光が第１の反射部３５ａおよび第２の反射部３５ｂの双方により反射・拡散される。これにより、導光体から出光させる光の照度が不均一となるためである。
また、上述した実施形態では、ドット３７ａ、３７ｂをシルク印刷により形成する場合について説明したが、直接ドット３７ａ、３７ｂを塗布するなど他の方法で形成してもよい。
【００４２】
また、図６および図７では、発光素子３４ｕの発光波長以上の光を発する発光素子３４ｕ、３４ｒ、３４ｉｒを第１の入光面３１ａに配置し、発光素子３４ｇの発光波長以下の光を発光する発光素子３４ｇ、３４ｂ、３４ｕｖを第２の入光面３１ｅに配置した。すなわち、発光素子３４ｕと発光素子３４ｇとを境界にして長波長側と短波長側とに分類したが、この場合に限らない。例えば、発光素子３４ｒと発光素子３４ｕとを境界とする、あるいは、発光素子３４ｇと発光素子３４ｂとを境界とするなど、どこで分類してもかまわない。
【産業上の利用可能性】
【００４３】
本発明は、イメージセンサユニットと、このイメージセンサユニットが適用される画像読取装置や画像形成装置（たとえば、イメージスキャナー、ファクシミリ、複写機、複合機など）に有効に利用できるものである。
【符号の説明】
【００４４】
１：ＭＦＰ（多機能プリンタ）  ２：原稿（被照明体）  ７：イメージセンサユニット  ３０：光源  ３０ａ：第１の光源  ３０ｂ：第２の光源  ３１：導光体  ３１ａ：第１の入光面  ３１ｂ：反射面  ３１ｃ：出光面  ３１ｅ：第２の入光面  ３２：ロッドレンズアレイ（結像素子）  ３３：センサ基板  ３４ｒ、３４ｇ、３４ｂ、３４ｕ、３４ｉｒ、３４ｕｖ：発光素子  ３５：反射部  ３５ａ：第１の反射部  ３５ｂ：第２の反射部  ３６：複数の光電変換素子
【図１】
0005400188.tif 000002
【図２】
0005400188.tif 000003
【図３】
0005400188.tif 000004
【図４】
0005400188.tif 000005
【図５】
0005400188.tif 000006
【図６】
0005400188.tif 000007
【図７】
0005400188.tif 000008
【図８】
0005400188.tif 000009
【図９】
0005400188.tif 000010
【図１０】
0005400188.tif 000011
【図１１】
0005400188.tif 000012
【図１２Ａ】
0005400188.tif 000013
【図１２Ｂ】
0005400188.tif 000014
【図１３Ａ】
0005400188.tif 000015
【図１３Ｂ】
0005400188.tif 000016